【事件の表示】
　特許第６５３５１４６号発明「皮膚バリア機能改善剤」の特許異議申立事件について、次のとおり決定する。
【結　論】
　特許第６５３５１４６号の特許請求の範囲を訂正請求書に添付された特許請求の範囲のとおり、訂正後の請求項〔１〜１３〕について訂正することを認める。
　特許第６５３５１４６号の請求項３〜６、９〜１３に係る特許を維持する。
　特許第６５３５１４６号の請求項１、２、７、８に係る特許についての申立てを却下する。
【理　由】
第１　手続の経緯
　特許第６５３５１４６号（以下、「本件特許」という。）に係る出願（特願２０１９−４２２５２号）は、平成３１年３月８日に出願人、佐藤製薬株式会社によりなされた特許出願であり、令和元年６月７日に特許権の設定登録がされ、その後、本件特許に対して、同年１２月２４日に特許異議申立人、合同会社ＳＡＳ（以下、単に「申立人ＳＡＳ」という。）、及び、同年１２月２５日（受理日：同年１２月２６日）に特許異議申立人、仲谷　徳子（以下、単に「申立人仲谷」という。）により特許異議申立がされた。
　当審において令和２年４月３日付けで取消理由を通知し、同年７月９日（受理日：同年７月１０日）で意見書及び訂正請求書が提出され、当審において同年７月２７日付けで申立人ＳＡＳ及び申立人仲谷に対して訂正請求があった旨の通知（特許法第１２０条の５第５項）をしたところ、同年８月２５日（受理日：同年８月２６日）で申立人ＳＡＳ及び同年８月２８日（受理日：同年８月３１日）で申立人仲谷より、それぞれ意見書が提出された。
第２　訂正の適否について
　１　訂正の内容
　上記令和２年７月９日付けの訂正請求書による訂正（以下、「本件訂正」という。）は、一群の請求項である請求項１〜１３からなる特許請求の範囲を、上記訂正請求書に添付した訂正特許請求の範囲のとおり訂正することを求めるものであって、その具体的訂正事項は次のとおりである。（下線は、訂正箇所を表す。）
（１）訂正事項１
　特許請求の範囲の請求項１を削除する。
（２）訂正事項２
　特許請求の範囲の請求項２を削除する。
（３）訂正事項３
　特許請求の範囲の請求項３に「ベルベリン又は薬学的に許容可能なその塩の濃度が１．６〜１６μｍｏｌ／Ｌである、請求項１に記載の皮膚バリア機能改善剤。」と記載されているのを、「ベルベリン又は薬学的に許容可能なその塩
を
の濃度で含む、
（４）訂正事項４
　特許請求の範囲の請求項４に「ベルベリン又は薬学的に許容可能なその塩を生薬エキスとして含む、請求項１〜３のいずれか１項に記載の皮膚バリア機能改善剤。」と記載されているのを、「ベルベリン又は薬学的に許容可能なその塩を生薬エキスとして含む、請求項
３
（５）訂正事項５
　特許請求の範囲の請求項６に「トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項１〜５のいずれか１項に記載の皮膚バリア機能改善剤。」と記載されているのを、「トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項
３
（６）訂正事項６
　特許請求の範囲の請求項７を削除する。
（７）訂正事項７
　特許請求の範囲の請求項８を削除する。
（８）訂正事項８
　特許請求の範囲の請求項９に「ベルベリン又は薬学的に許容可能なその塩の濃度が１．６〜１６μｍｏｌ／Ｌである、請求項７に記載の皮膚タイトジャンクションバリア機能改善剤。」と記載されているのを、「ベルベリン又は薬学的に許容可能なその塩
を
の濃度で含む、
（９）訂正事項９
　特許請求の範囲の請求項１０に「ベルベリン又は薬学的に許容可能なその塩を生薬エキスとして含む、請求項７〜９のいずれか１項に記載の皮膚タイトジャンクションバリア機能改善剤。」と記載されているのを、「ベルベリン又は薬学的に許容可能なその塩を生薬エキスとして含む、請求項
９
（10）訂正事項１０
　特許請求の範囲の請求項１２に「トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項７〜１１のいずれか１項に記載の皮膚タイトジャンクションバリア機能改善剤。」と記載されているのを、「トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項
９
（11）訂正事項１１
　特許請求の範囲の請求項１３に「請求項１〜６のいずれか１項に記載の皮膚バリア機能改善剤、又は、請求項７〜１２のいずれか１項に記載の皮膚タイトジャンクションバリア機能改善剤を含む、スキンケア製品。」と記載されているのを、「請求項
３
９
のみからなる
　２　訂正要件の適合についての検討
（１）訂正事項１
　ア　訂正の目的について
　訂正事項１は、請求項１を削除するものであるから、特許法１２０条の５第２項ただし書き１号に規定する「特許請求の範囲の減縮」を目的とするものである。
　イ　実質上特許請求の範囲を拡張し、又は変更するものではないこと
　訂正事項１は、請求項１を削除するものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項１は、請求項１を削除するものであるから、願書に最初に添付した明細書、特許請求の範囲又は図面に記載した事項の範囲内の訂正であり、特許法１２０条の５第９項で準用する１２６条５項に適合するものである。
（２）訂正事項２
　ア　訂正の目的について
　訂正事項２は、請求項２を削除するものであるから、特許法１２０条の５第２項ただし書き１号に規定する「特許請求の範囲の減縮」を目的とするものである。
　イ　実質上特許請求の範囲を拡張し、又は変更するものではないこと
　訂正事項２は、請求項２を削除するものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項２は、請求項２を削除するものであるから、願書に最初に添付した明細書、特許請求の範囲又は図面に記載した事項の範囲内の訂正であり、特許法１２０条の５第９項で準用する１２６条５項に適合するものである。
（３）訂正事項３
　ア　訂正の目的について
　訂正事項３は、訂正前の請求項３が請求項１の記載を引用する記載であるところ、請求項間の引用関係を解消して、独立形式の請求項へ改めるものであり、訂正前の「塩の濃度が１．６〜１６μｍｏｌ／Ｌである」を訂正後の「塩を１．６〜１６μｍｏｌ／Ｌの濃度で含む」とするものであるから、特許法１２０条の５第２項ただし書き４号に規定する「他の請求項の記載を引用する請求項の記載を当該他の請求項を引用しないものとすること」、及び、同２号に規定する「誤記又は誤記の訂正」を目的とするものである。
　イ　実質上特許請求の範囲を拡張し、又は変更するものではないこと
　訂正事項３は、上記（ア）のとおり、実質的な内容を変更するものではないから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項３は、上記（ア）のとおり、実質的な内容を変更するものではないから、願書に最初に添付した明細書、特許請求の範囲又は図面に記載した事項の範囲内の訂正であり、特許法１２０条の５第９項で準用する１２６条５項に適合するものである。
（４）訂正事項４
　ア　訂正の目的について
　訂正事項４は、訂正前の請求項４が請求項１〜３の記載を引用する記載であるところ、請求項１，２を引用しないものとするものであるから、特許法１２０条の５第２項ただし書き１号に規定する「特許請求の範囲の減縮」を目的とするものである。
　イ　実質上特許請求の範囲を拡張し、又は変更するものではないこと
　訂正事項４は、訂正前の請求項４が請求項１〜３の記載を引用する記載であるところ、請求項１，２を引用しないものとするものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項４は、訂正前の請求項４が請求項１〜３の記載を引用する記載であるところ、請求項１，２を引用しないものとするものであるから、願書に最初に添付した明細書、特許請求の範囲又は図面に記載した事項の範囲内の訂正であり、特許法１２０条の５第９項で準用する１２６条５項に適合するものである。
（５）訂正事項５
　ア　訂正の目的について
　訂正事項５は、訂正前の請求項６が請求項１〜５の記載を引用する記載であるところ、請求項１，２を引用しないものとするものであるから、特許法１２０条の５第２項ただし書き１号に規定する「特許請求の範囲の減縮」を目的とするものである。
　イ　実質上特許請求の範囲を拡張し、又は変更するものではないこと
　訂正事項５は、訂正前の請求項６が請求項１〜５の記載を引用する記載であるところ、請求項１，２を引用しないものとするものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項５は、訂正前の請求項６が請求項１〜５の記載を引用する記載であるところ、請求項１，２を引用しないものとするものであるから、願書に最初に添付した明細書、特許請求の範囲又は図面に記載した事項の範囲内の訂正であり、特許法１２０条の５第９項で準用する１２６条５項に適合するものである。
（６）訂正事項６
　ア　訂正の目的について
　訂正事項６は、請求項７を削除するものであるから、特許法１２０条の５第２項ただし書き１号に規定する「特許請求の範囲の減縮」を目的とするものである。
　イ　実質上特許請求の範囲を拡張し、又は変更するものではないこと
　訂正事項６は、請求項７を削除するものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項６は、請求項７を削除するものであるから、願書に最初に添付した明細書、特許請求の範囲又は図面に記載した事項の範囲内の訂正であり、特許法１２０条の５第９項で準用する１２６条５項に適合するものである。
（７）訂正事項７
　ア　訂正の目的について
　訂正事項７は、請求項８を削除するものであるから、特許法１２０条の５第２項ただし書き１号に規定する「特許請求の範囲の減縮」を目的とするものである。
　イ　実質上特許請求の範囲を拡張し、又は変更するものではないこと
　訂正事項７は、請求項８を削除するものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項７は、請求項８を削除するものであるから、願書に最初に添付した明細書、特許請求の範囲又は図面に記載した事項の範囲内の訂正であり、特許法１２０条の５第９項で準用する１２６条５項に適合するものである。
（８）訂正事項８
　ア　訂正の目的について
　訂正事項８は、訂正前の請求項９が請求項７の記載を引用する記載であるところ、請求項間の引用関係を解消して、独立形式の請求項へ改めるものであり、訂正前の「塩の濃度が１．６〜１６μｍｏｌ／Ｌである」を訂正後の「塩を１．６〜１６μｍｏｌ／Ｌの濃度で含む」とするものであるから、特許法１２０条の５第２項ただし書き４号に規定する「他の請求項の記載を引用する請求項の記載を当該他の請求項を引用しないものとすること」、及び、同２号に規定する「誤記又は誤記の訂正」を目的とするものである。
　イ　実質上特許請求の範囲を拡張し、又は変更するものではないこと
　訂正事項８は、上記（ア）のとおり、実質的な内容を変更するものではないから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項８は、上記（ア）のとおり、実質的な内容を変更するものではないから、願書に最初に添付した明細書、特許請求の範囲又は図面に記載した事項の範囲内の訂正であり、特許法１２０条の５第９項で準用する１２６条５項に適合するものである。
（９）訂正事項９
　ア　訂正の目的について
　訂正事項９は、訂正前の請求項１０が請求項７〜９の記載を引用する記載であるところ、請求項７，８を引用しないものとするものであるから、特許法１２０条の５第２項ただし書き１号に規定する「特許請求の範囲の減縮」を目的とするものである。
　イ　実質上特許請求の範囲を拡張し、又は変更するものではないこと
　訂正事項９は、訂正前の請求項１０が請求項７〜９の記載を引用する記載であるところ、請求項７，８を引用しないものとするものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項９は、訂正前の請求項１０が請求項７〜９の記載を引用する記載であるところ、請求項７，８を引用しないものとするものであるから、願書に最初に添付した明細書、特許請求の範囲又は図面に記載した事項の範囲内の訂正であり、特許法１２０条の５第９項で準用する１２６条５項に適合するものである。
（10）訂正事項１０
　ア　訂正の目的について
　訂正事項１０は、訂正前の請求項１２が請求項７〜１１の記載を引用する記載であるところ、請求項７，８を引用しないものとするものであるから、特許法１２０条の５第２項ただし書き１号に規定する「特許請求の範囲の減縮」を目的とするものである。
　イ　実質上特許請求の範囲を拡張し、又は変更するものではないこと
　訂正事項１０は、訂正前の請求項１２が請求項７〜１１の記載を引用する記載であるところ、請求項７，８を引用しないものとするものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項１０は、訂正前の請求項１２が請求項７〜１１の記載を引用する記載であるところ、請求項７，８を引用しないものとするものであるから、願書に最初に添付した明細書、特許請求の範囲又は図面に記載した事項の範囲内の訂正であり、特許法１２０条の５第９項で準用する１２６条５項に適合するものである。
（11）訂正事項１１
　ア　訂正の目的について
　訂正事項１１は、訂正前の請求項１３が請求項１〜６及び７〜１２の記載を引用する記載であるところ、請求項１，２及び７，８を引用しないものとするものであり、訂正前の「皮膚バリア機能改善剤」、又は、「皮膚タイトジャンクション機能改善剤」「を含む、スキンケア製品」を訂正後の「皮膚バリア機能改善剤」、又は、「皮膚タイトジャンクション機能改善剤」「のみからなる、スキンケア製品」とし、「皮膚バリア機能改善剤」、又は、「皮膚タイトジャンクション機能改善剤」と「スキンケア製品」の関係を明瞭にするものであるから、特許法１２０条の５第２項ただし書き１号に規定する「特許請求の範囲の減縮」、同ただし書き３号に規定する「明瞭でない記載の釈明」を目的とするものである。
　イ　実質上特許請求の範囲を拡張し、又は変更するものではないこと
　訂正事項１１は、訂正前の請求項１３が請求項１〜６及び７〜１２の記載を引用する記載であるところ、請求項１，２及び７，８を引用しないものとするものであり、訂正前の「皮膚バリア機能改善剤」、又は、「皮膚タイトジャンクション機能改善剤」「を含む、スキンケア製品」を訂正後の「皮膚バリア機能改善剤」、又は、「皮膚タイトジャンクション機能改善剤」「のみからなる、スキンケア製品」とし、「皮膚バリア機能改善剤」、又は、「皮膚タイトジャンクション機能改善剤」と「スキンケア製品」の関係を明瞭にするものであるから、実質上特許請求の範囲を拡張し、又は変更するものには該当せず、特許法１２０条の５第９項で準用する１２６条６項に適合するものである。
　ウ　願書に最初に添付した明細書、特許請求の範囲又は図面に記載した事項の範囲内のものであること
　訂正事項１１は、訂正前の請求項１３が請求項１〜６及び７〜１２の記載を引用する記載であるところ、請求項１，２及び７，８を引用しないものとするものであり、訂正前の「皮膚バリア機能改善剤」、又は、「皮膚タイトジャンクション機能改善剤」「を含む、スキンケア製品」を訂正後の「皮膚バリア機能改善剤」、又は、「皮膚タイトジャンクション機能改善剤」「のみからなる、スキンケア製品」とし、「皮膚バリア機能改善剤」、又は、「皮膚タイトジャンクション機能改善剤」と「スキンケア製品」の関係を明瞭にするものであるから、願書に最初に添付した明細書、特許請求の範囲又は図面に記載した事項の範囲内の訂正であり、特許法１２０条の５第９項で準用する１２６条５項に適合するものである。
　３　まとめ
　以上のとおりであるから、本件訂正は特許法１２０条の５第２項ただし書各号に掲げる事項を目的とするものであり、かつ、特許法１２０条の５第４項、及び特許法１２０条の５第９項で準用する同法１２６条５項及び６項の規定に適合するので、訂正後の請求項１〜１３について訂正することを認める。
第３　本件発明
　本件訂正により訂正された請求項１〜１３に係る発明（以下、「本件発明１」〜「本件発明１３」といい、まとめて「本件各発明」ともいう。）は、その特許請求の範囲の請求項１〜１３に記載された事項により特定される、以下のとおりのものである。
【請求項１】
（削除）
【請求項２】
（削除）
【請求項３】
　ベルベリン又は薬学的に許容可能なその塩を１．６〜１６μｍｏｌ／Ｌの濃度で含む、皮膚バリア機能改善剤。
【請求項４】
　ベルベリン又は薬学的に許容可能なその塩を生薬エキスとして含む、請求項３に記載の皮膚バリア機能改善剤。
【請求項５】
　ベルベリン含有生薬エキスが、オウバクエキス、オウレンエキス又は南天葉エキスである、請求項４に記載の皮膚バリア機能改善剤。
【請求項６】
　トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項３〜５のいずれか１項に記載の皮膚バリア機能改善剤。
【請求項７】
　（削除）
【請求項８】
　（削除）
【請求項９】
　ベルベリン又は薬学的に許容可能なその塩を１．６〜１６μｍｏｌ／Ｌの濃度で含む、皮膚タイトジャンクションバリア機能改善剤。
【請求項１０】
　ベルベリン又は薬学的に許容可能なその塩を生薬エキスとして含む、請求項９に記載の皮膚タイトジャンクションバリア機能改善剤。
【請求項１１】
　ベルベリン含有生薬エキスが、オウバクエキス、オウレンエキス又は南天葉エキスである、請求項１０に記載の皮膚タイトジャンクションバリア機能改善剤。
【請求項１２】
　トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項９〜１１のいずれか１項に記載の皮膚タイトジャンクションバリア機能改善剤。
【請求項１３】
　請求項３〜６のいずれか１項に記載の皮膚バリア機能改善剤、又は、請求項９〜１２のいずれか１項に記載の皮膚タイトジャンクションバリア機能改善剤のみからなる、スキンケア製品。
第４　取消理由の概要（本件訂正前の特許請求の範囲に対して通知）
　１　取消理由１
　本件特許の下記請求項に係る発明は、その出願前に日本国内又は外国において、頒布された下記の引用文献に記載された発明又は電気通信回線を通じて公衆に利用可能となった発明であって、特許法２９条１項３号に該当し、特許を受けることができないから、その発明に係る特許は取り消すべきものである。
（１）請求項１〜５、７〜１０、１１、１３に係る発明は、引用文献１に記載された発明である。
（２）請求項１〜５、７〜１０、１１、１３に係る発明は、引用文献２に記載された発明である。
（３）請求項１３に係る発明は、引用文献６に記載された発明である。
　２　取消理由２
　本件特許の下記請求項に係る発明は、その出願前に日本国内又は外国において、頒布された下記の引用文献に記載された発明又は電気通信回線を通じて公衆に利用可能となった発明に基いて、その出願前にその発明の属する技術の分野における通常の知識を有する者が容易に発明をすることができたものであって、特許法２９条２項の規定により特許を受けることができないから、その発明に係る特許は取り消すべきものである。
（１）請求項１〜５、７〜１０、１１、１３に係る発明は、引用文献１、３、６に記載された発明に基いて、当業者が容易に発明をすることができたものである。
（２）請求項６、１２、１３に係る発明は、引用文献１、３、６、８に記載された発明に基いて、当業者が容易に発明をすることができたものである。
（３）請求項１〜３、７〜９に係る発明は、引用文献４、５に記載された発明に基いて、当業者が容易に発明をすることができたものである。
（４）請求項４〜６、１０、１３に係る発明は、引用文献４、５、３、６、８に記載された発明に基いて、当業者が容易に発明をすることができたものである。
＜引用文献＞
　引用文献１：特開２０１１−１６８５５５号公報（異議申立人仲谷徳子の提出した甲第１号証）
　引用文献２：特開２００７−１７６８３０号公報（異議申立人仲谷徳子の提出した甲第２号証）
　引用文献３：安田女子大学紀要 2012 40 p.395-402（異議申立人仲谷徳子の提出した甲第３号証）
　引用文献４：Phytomedicine 2008 15 p.340-347（異議申立人合同会社ＳＡＳの提出した甲第４号証）
　引用文献５：Am J Physiol Lung Cell Mol Physiol 2009 296 L751-762（異議申立人合同会社ＳＡＳの提出した甲第５号証）
　引用文献６：特公昭６２−５８９０号公報（異議申立人合同会社ＳＡＳの提出した甲第６号証）
　引用文献７：コスメトロジー研究報告　2013　vol.21　p.61-64（異議申立人仲谷徳子の提出した甲第４号証、異議申立人合同会社ＳＡＳの提出した甲第７号証）
　引用文献８：特開２００７−１６１６１２号公報（異議申立人合同会社ＳＡＳの提出した甲第８号証）
３　取消理由３
　本件特許は、特許請求の範囲の請求項１３の記載が不備であり、特許法３６条６項２号に規定する要件を満たしていない特許出願に対してされたものであるから、取り消されるべきものである。
４　取消理由４
　本件特許は、特許請求の範囲の請求項１３の記載が不備であり、特許法３６条６項１号に規定する要件を満たしていない特許出願に対してされたものであるから、取り消されるべきものである。
第５　取消理由に対する当審の判断
　１　取消理由１（特許法２９条１項３号）及び取消理由２（特許法２９条２項）について
（１）引用文献に記載された事項、及び、引用文献に記載された発明
　ア　引用文献１の記載
　引用文献１には、以下の記載がなされている（下線は合議体によるもの）。
（ア）「【請求項１】刺激感受性の高い人のための肌状態を改善するために外用で投与すべき素材の鑑別方法であって、ヒトの皮膚乃至はヒトの皮膚細胞に対する、抗菌ペプチドの産生促進作用の度合いを計測し、該促進作用が大きい場合には、肌改善作用が大きい素材であると鑑別し、小さい場合には肌改善作用が低いと鑑別することを特徴とする、外用で投与すべき素材の鑑別方法。
（中略）
【請求項５】前記上皮系細胞由来の抗菌ペプチドが、β−ディフェンシン１（hBD１：human β−defensin−１）であることを特徴とする、請求項１〜４の何れか一項に記載の外用で投与すべき素材の鑑別方法。
（中略）
【請求項７】前記外用で投与すべき素材が、表皮細胞におけるタイトジャンクション（TJ：Tight junction）の形成促進作用を更に有することを特徴とする、請求項１〜６の何れか一項に記載の外用で投与すべき素材の鑑別方法。
（中略）
【請求項９】請求項１〜８に記載の 外用で投与すべき素材の鑑別方法であって、外用で投与すべき素材としての的確性を認められた素材を含有してなる組成物。
【請求項１０】化粧料（但し、医薬部外品を含む）であることを特徴とする、請求項９に記載の組成物。
【請求項１１】皮膚外用剤であることを特徴とする、請求項９又は１０に記載の組成物。」
（イ）「【０００７】本発明は、この様な状況下において為されたものであり、化粧料原料（但し、医薬部外品を含む）として好適な外用で投与すべき素材を見出し、化粧品や医薬品に応用可能である、肌改善用に好適な、抗菌ペプチド産生促進作用を指標とする外用で投与すべき素材の簡便、且つ、確実な鑑別方法を提供することを課題とする。」
（ウ）「【００１４】一方、皮膚バリア機能は、外部刺激より身体を守るバリアの役割を果たす皮膚の機能であり、セラミド、ヒアルロン酸、コラ−ゲン等の角質細胞間脂質の構成成分の減少とは別に、角層細胞の形状及び細胞間接合状態等の要因に大きく影響を受ける。皮膚バリア機能を評価する方法としては、例えば、特開２００５−１８９０１１号公報に記載の経皮的散逸水分量（TEWL値：Transepidermal Water Loss）、前記特許文献４に記載の経上皮電気抵抗値（TER値：Transepitherial Electrical Resistance）等の測定による評価方法が広く知られている。
特に、表皮細胞に存在し、細胞同士を密接に結び付けることにより細胞間の隙間を塞ぎ物質の透過性に影響を与えるTJ等の細胞間接着構造体の形成状態は、TER値を測定することにより評価可能
（エ）「【００２０】本発明の前記植物より得られる植物抽出物は、・・・抽出物製造においては、・・・溶媒を１〜３０質量部加え、室温であれば数日間、沸点付近の温度であれば数時間浸漬する。
【００２１】
前記抽出溶媒
（オ）「【００２４】本発明の抗菌ペプチド産生促進作用が大であると判別される成分としては、単純な化学物質、動植由来の抽出物とその分画生精製物などの混合精製物のいずれでもよい。本発明の組成物には、前記の抗菌ペプチド産生促進作用が大であると判別される成分を、唯１種含有させることも出来るし、２種以上を組み合わせて含有させることも出来る。本発明の組成物は、前記の抗菌ペプチド産生促進作用が大であると判別される成分を配合することにより、抗菌ペプチド産生量、取り分け、
ディフェンシン１産生量を増加させることにより皮膚バリア機能向上作用を発揮
抗菌ペプチド産生促進作用が大であると判別される成分を配合することにより、TJ等の細胞間接着構造体の形成促進作用を介し皮膚バリア機能向上効果を発揮
（カ）「【００３２】＜試験例２： 抗菌ペプチド遺伝子（
hBD1
　以下の手順に従い、
β−ディフェンシン１mRNA
１）正常ヒト表皮角化細胞（NHEK）（倉敷紡績株式会社）をHumedia-KG２（倉敷紡績株式会社）でサブコンフルエントになるまで培養した。
（中略）
５）前記４）にて調製したライセ−トをテンプレ−トとし、QuantiTect Multiplex RT-PCR Kit（QIAGEN社）を用いたリアルタイム（RT-PCR）により、各被験物質添加時のhBD1 mRNA発現量を検出し、ddCt法にて相対定量値を算出した。また、内在性コントロ−ルとしてTBP（TATA Binding Protein （TATA box結合因子で、ハウスキ−ピング遺伝子の一種））のmRNA発現量も同時に測定し、ddCt法にて相対定量値を算出した。結果を図３及び図４に示す。
【００３３】 図３及び図４の結果より、本発明の評価に用いた植物抽出物には、
何れも顕著なhBD1mRNA発現促進作用が認められた
TJ等の細胞間接着構造体の形成促進作用による皮膚バリア機能向上作用が期待される
　図３
」
（キ）上記（ア）〜（カ）からみて、引用文献１には、「β−ディフェンシン１の産生促進作用を有し、表皮細胞におけるタイトジャンクション（TJ）の形成促進作用をさらに有する、肌状態を改善する素材及び当該素材を含有する化粧料組成物又は皮膚外用剤組成物」が記載されている。さらに、上記（オ）及び（カ）からみて、オウバクエキス及びオウレンエキスが、肌状態の改善作用として、ディフェンシン１産生量を増加させることにより、TJ等の細胞間接着構造体の形成促進作用を介し皮膚バリア機能向上作用を発揮するものであることが記載されていると認められる。
　したがって、引用文献１には、
「β−ディフェンシン１の産生促進作用を有し、表皮細胞におけるタイトジャンクション（TJ）の形成促進作用を介し皮膚バリア機能向上作用を発揮するオウバクエキス又はオウレンエキス組成物」の発明（以下、「引用発明１−１」という。）、及び、
「β−ディフェンシン１の産生促進作用を有し、表皮細胞におけるタイトジャンクション（TJ）の形成促進作用を介し皮膚バリア機能向上作用を発揮するオウバクエキス又はオウレンエキス組成物を含有する化粧料組成物又は皮膚外用剤組成物」の発明（以下、「引用発明１−２」という。）
　が記載されていると認める。　
　イ　引用文献２の記載
　引用文献２には、以下の記載がなされている。
（ア）「【請求項１】キンポウゲ科キンポウゲ属オウレンの根茎を極性溶媒で抽出し、抽出物を得て、所望により、前記抽出物を分画、精製、溶媒除去した後、これを皮膚外用剤に含有させる場合において、表皮角化細胞をカルシウムを０．１〜０．２ｍＭ含有する液体培地で０．１〜１２μｍの微細孔を有する支持体上でコンフルエントになるまで培養し、しかる後、カルシウムイオンを１〜２ｍＭ含有する液体培地で培養し、得られる表皮角化細胞層膜を前記抽出物で処理した場合、該表皮角化細胞層膜の物質透過性を抑制する作用を有することを確認した上で、該抽出物を皮膚外用剤に含有せしめることを特徴とする皮膚外用剤の製造法。
【請求項２】前記表皮角化細胞がヒト由来のものであることを特徴とする、請求項１に記載の皮膚外用剤の製造法。
【請求項３】前記極性溶剤が含水エタノール又は含水１、３−ブタンジオールであることを特徴とする、請求項１又は２に記載の皮膚外用剤の製造法。」
（イ）「【０００６】皮膚そのもののバリア機能を向上させる手段を提供することを課題とした。」
（ウ）「【実施例１】
【００１８】 キンポウゲ科オウレン属オウレンの根茎１ｋｇを裁断し、５０％エタノール水溶液１０Ｌ中に浸漬し、１週間放置した。濾過後、濾液を濃縮し、凍結乾燥した。この凍結乾燥物中のパルマチンの濃度を測定した。パルマチンの定量は、ＨＰＬＣを用いて以下の条件で実施したところ、１．２４質量％であった。これを５０％エタノール水溶液で２０倍に希釈して、パルマチン含量０．０６２質量％の本発明の皮膚外用剤に適用するのに適当なオウレン抽出物を得た。
（中略）
抽出物の添加時のＴＥＲ（Transepitherial Electrical Resistance）値（Ωｍ）に対する、一定時間後のＴＥＲ値の割合（％）で示した。結果を図１に示す。さらに、前記実施例１において、作製したパルマチン含有量の低い比較品１に関しても同様の測定を実施した。結果を図２に示す。
【００２１】 図１の結果より、エキス類無添加のコントロールに比べて、オウレン抽出物を添加して培養した表皮角化細胞層膜ではＴＥＲ値が上昇し、培養表皮角化細胞層のバリア機能が向上していることが判った。しかも、ＴＥＲ値はコントロールと比べて１０％以上高くなり、本発明の皮膚外用剤に使用するのに適当であるオウレン抽出物であることも判った。」
（エ）上記（ア）〜（ウ）からみて、引用文献２には、
「表皮角化細胞層膜のＴＥＲ値を上昇させ、バリア機能を向上させる、オウレンのエタノール水溶液抽出物」（以下、「引用発明２−１」という。）、及び、
「表皮角化細胞層膜のＴＥＲ値を上昇させ、バリア機能を向上させる、オウレンのエタノール水溶液抽出物を含有する皮膚外用剤」の発明（以下、「引用発明２−２」という。）
　が記載されている。
　ウ　引用文献４の記載
　引用文献４には、以下の記載がなされている（訳は異議申立人による）。
（ア）「図１　ＭＭＰ−９タンパク質の発現および活性は、ＮＨＫにおいてベルベリンによって用量依存的に低下する。（中略）（Ｃ）ウエスタンブロッティングおよび（Ｄ）ザイモグラフィーによるＭＭＰ−９タンパク質の発現および活性の検出のために、培養培地をそれぞれ収集した。これらの結果は、３種の独立した実験の代表である。示される値は、平均±ＳＥＭである。＊ｐ＜０．０５、＊＊ｐ＜０．０１　対　対照。Ｃｏｎ、対照；ＨＴ、ＨＴ１０８０；ＢＢＲ、ベルベリン。」（第342頁　図１の説明）
（イ）「ベルベリンは、ＭＭＰ−９の基礎発現および活性を用量依存的に抑制した。（以下、略）」（第343頁右欄第10〜11行）
（ウ）「我々は、ベルベリンが、ヒトケラチノサイトにおいて、基礎およびＴＰＡ誘導性のＭＭＰ−９発現を阻害し、またＴＰＡ誘導性のＩＬ−６産生も阻止することを実証した。」（第344頁右欄下から6〜3行）
（エ）「ＭＭＰ−９発現が、ヒト皮膚においてＵＶ照射によってアップレギュレーションされたこと、そし、老化ヒト皮膚および光老化ヒト皮膚においても増加したことがよく知られている。」（第345頁右欄第3〜5行）
（オ）上記（ア）〜（エ）からみて、引用文献４には、
「ヒト皮膚においてＵＶ照射によってアップレギュレーションされるＭＭＰ−９の基礎発現および活性を用量依存的に抑制するベルベリン含有組成物」の発明（以下、「引用発明４」という。）
　が記載されている。
　エ　引用文献５の記載
　引用文献５には、以下の記載がなされている（訳は異議申立人による）。
（ア）「図１　マトリックスメタロプロテアーゼ（ＭＭＰ９）処理による、経上皮伝導度の増加
Ａ：活性化ＭＭＰ９の処理２４時間後に経上皮電気伝導度が増加する。（以下、略）」（L753頁右欄　図１の説明）
（イ）「ＭＭＰ９は、タイトジャンクションタンパク質の局在を変化させる。ＭＭＰ誘導性のバリア機能障害は、ＭＭＰ９が細胞間結合の１以上の成分を変化させることを示唆している。（中略）これらのデータは、ＭＭＰ９が、タイトジャンクションの少なくとも２つの成分クローディン−１及びオクルジンの局在を変化させることを示唆している。」（L755頁左欄第8行〜右欄第10行）
　オ　引用文献６の記載
　引用文献６の１０欄２９〜３６行には、配合処方例４として、黄柏の抽出物であるＢ液（実施例１及び２参照）、または、黄柏の抽出物から得られたベルベリンを含む乾固体であるＣエキス（実施例３参照）を含む、化粧水又は医薬外用剤の発明が記載されている。
（２）対比・検討
　ア　引用発明１−１又は引用発明１−２との対比、検討
（ア）本件発明３について
　本件発明３と引用発明１−１を対比すると、一致点と相違点１は以下のとおりである。
＜一致点＞
　オウバクエキス及びオウレンエキスがベルベリンを主成分として含むものであることは、当該分野における技術常識である（要すれば、引用文献６の１頁右欄下から１１〜４行、引用文献３の３９５頁１〜１５行等）。すると、両者は、
「ベルベリン又は薬学的に許容可能なその塩をオウバクエキス又はオウレンエキスとして含む、皮膚バリア機能改善剤」の点で一致する。
＜相違点１＞
　本件発明３は、オウバクエキス又はオウレンエキスに含まれるベルベリン又は薬学的に許容可能なその塩の濃度が１．６〜１６μｍｏｌ／Ｌであることが特定されているのに対して、引用発明１−１では特定されていない点で、相違する。
　以下、相違点１について検討する。
　ａ　本件明細書の段落【００１３】には、「例えば抽出溶媒として水やアルコール等を用いた抽出方法が使用できる。」と記載され、引用発明１−１の抽出溶媒も、上記（１）ア（エ）の記載から、水、エタノール等の極性溶媒であること、引用発明１−１の皮膚バリア機能改善剤は、上記（１）ア（キ）の記載から、β−ディフェンシン１の産生促進作用を有し、表皮細胞におけるタイトジャンクション（TJ）の形成促進作用を介し皮膚バリア機能向上作用を発揮するものであることまではいえる。
　しかしながら、引用文献１には、皮膚バリア機能改善剤において、１．６〜１６μｍｏｌ／Ｌ程度の濃度のベルベリンを含むことが記載されておらず、本件発明３と引用発明１−１の抽出溶媒が同じであっても、その他の抽出条件が不明であって、抽出されるベルベリンの濃度が同じであるとはいえないので、上記相違点１は実質的な相違点であるから、本件発明３は引用文献１に記載された発明ではない。
　ｂ　次に、相違点１の容易想到性について検討する。
　引用発明１−１の課題は、上記（１）ア（イ）のとおり、「化粧料原料（但し、医薬部外品を含む）として好適な外用で投与すべき素材を見出し、化粧品や医薬品に応用可能である、肌改善用に好適な、抗菌ペプチド産生促進作用を指標とする外用で投与すべき素材の簡便、且つ、確実な鑑別方法を提供すること」である（【０００７】）。
　引用発明１−１の皮膚バリア機能改善剤は、上記（１）ア（キ）の記載から、β−ディフェンシン１の産生促進作用を有し、表皮細胞におけるタイトジャンクション（TJ）の形成促進作用を介し皮膚バリア機能向上作用を発揮するものであること、また、オウバクエキス及びオウレンエキスがベルベリンを主成分として含むものであることは、当該分野における技術常識であるが、引用文献１には、発明の課題を解決するために、ベルベリンに注目した上でベルベリンの濃度を調整することやベルベリンが課題解決にどの程度貢献するのかについても記載されていない。
　また、本件発明３において、皮膚バリア機能向上作用を有するエキス組成物中のベルベリンの濃度を特定することにより、本件明細書図２のとおり、ＴＥＲの改善がみられ、TJの形成促進作用に予測しえない有利な効果が奏されたといえる。
　なお、引用文献３、６は、上記一致点のとおり、オウバクエキス及びオウレンエキスがベルベリンを主成分として含むものであることを示すに過ぎない。
　ｃ　以上のとおりであるから、本件発明３は、引用文献１に記載された発明ではなく、引用文献１、３、６に記載された発明に基づいて、当業者が容易に想到し得たものではない。
（イ）本件発明４〜６、９〜１２について
　本件発明３を引用する本件発明４、５、又は、本件発明３の「皮膚バリア機能改善剤」を「皮膚タイトジャンクションバリア機能改善剤」とした本件発明９〜１２も、上記（ア）と同様の理由により、引用文献１に記載された発明ではなく、引用文献１、３、６、８に記載された発明に基づいて、当業者が容易に想到し得たものではない。
　なお、引用文献８は、皮膚外用剤の成分に生薬エキスを配合することを示す文献に過ぎないから、上記判断を左右しない。
（ウ）本件発明１３について
　本件発明１３は、本件発明３〜６の「皮膚バリア機能改善剤」、又は、本件発明９〜１２の「皮膚タイトジャンクションバリア機能改善剤」のみからなる、スキンケア製品」としたものであって、本件発明１３の比較対象の引用発明１−２は、引用発明１−１の「表皮細胞におけるタイトジャンクション（TJ）の形成促進作用を介し皮膚バリア機能向上作用を発揮するオウバクエキス又はオウレンエキス組成物」を「表皮細胞におけるタイトジャンクション（TJ）の形成促進作用を介し皮膚バリア機能向上作用を発揮するオウバクエキス又はオウレンエキス組成物
を含有する化粧料組成物又は皮膚外用剤組成物
　イ　引用発明２−１又は引用発明２−２との対比、検討
（ア）本件発明３について
　本件発明３と引用発明２−１を対比すると、一致点と相違点２は以下のとおりである。
＜一致点＞
　オウレンエキスがベルベリンを主成分として含むものであることは、当該分野における技術常識である（要すれば、引用文献６の１頁右欄下から１１〜４行、引用文献３の３９５頁１〜１５行等）。すると、両者は、
「ベルベリン又は薬学的に許容可能なその塩をオウレンエキスとして含む、皮膚バリア機能改善剤」の点で一致する。
＜相違点２＞
　本件発明３は、オウレンエキスに含まれるベルベリン又は薬学的に許容可能なその塩の濃度が１．６〜１６μｍｏｌ／Ｌであることが特定されているのに対して、引用発明２−１では特定されていない点で、相違する。
　以下、相違点２について検討する。
　 本件明細書の段落【００１３】には、「例えば抽出溶媒として水やアルコール等を用いた抽出方法が使用できる。」と記載され、引用発明２−１の抽出溶媒も、上記（１）イ（ア）の記載から、含水エタノール又は含水１、３−ブタンジオールの極性溶媒であること、引用発明２−１の皮膚バリア機能改善剤は、上記（１）イ（ウ）の記載から、表皮角化細胞層膜でＴＥＲ値が上昇し、培養表皮角化細胞層のバリア機能の向上作用を発揮するものであることまではいえる。
　しかしながら、引用文献２には、皮膚バリア機能改善剤において、１．６〜１６μｍｏｌ／Ｌ程度の濃度のベルベリンを含むことが記載されておらず、本件発明３と引用発明２−１の抽出溶媒が同じであっても、その他の抽出条件が不明であって、抽出されるベルベリンの濃度が同じであるとはいえないので、上記相違点２は実質的な相違点であるから、本件発明３は引用文献２に記載された発明ではない。
（イ）本件発明４、５、９〜１１について
　本件発明３を引用する本件発明４、５、又は、本件発明３の「皮膚バリア機能改善剤」を「皮膚タイトジャンクションバリア機能改善剤」とした本件発明９〜１１も、上記（ア）と同様の理由により、引用文献２に記載された発明ではない。
　なお、引用文献３、６は、上記一致点のとおり、オウバクエキス及びオウレンエキスがベルベリンを主成分として含むものであることを示すに過ぎないから、上記判断を左右しない。
（ウ）本件発明１３について
　本件発明１３は、本件発明３〜６の「皮膚バリア機能改善剤」、又は、本件発明９〜１２の「皮膚タイトジャンクションバリア機能改善剤」のみからなる、スキンケア製品」としたものであって、本件発明１３の比較対象の引用発明２−２は、引用発明２−１の「オウレンのエタノール水溶液抽出物」を「オウレンのエタノール水溶液抽出物
を含有する皮膚外用剤
　ウ　引用発明４との対比、検討
（ア）本件発明３について
　本件発明３と引用発明４を対比すると、一致点と相違点３は以下のとおりである。
＜一致点＞
　上記（１）ウ（エ）、（１）エ（イ）の記載からみて、ＭＭＰ９はタイトジャンクションによるバリア機能障害をもたらすものであるから、引用発明４の「ヒト皮膚においてＵＶ照射によってアップレギュレーションされるＭＭＰ−９の基礎発現および活性を用量依存的に抑制する」とは、本件特許発明１の「皮膚バリア機能改善」に相当するものである。
　すると、両者は、
「ベルベリン又は薬学的に許容可能なその塩を含む、皮膚バリア機能改善剤」である点で一致する。
＜相違点３＞
　本件発明３は、ベルベリン又は薬学的に許容可能なその塩の濃度が１．６〜１６μｍｏｌ／Ｌであることが特定されているのに対して、引用発明４は、ベルベリンの濃度が特定されていない点で、相違するものである。
　以下、相違点３について検討する。
　ａ　引用文献４には、皮膚バリア機能改善剤において、１．６〜１６μｍｏｌ／Ｌ程度の濃度のベルベリンを含むことが記載されておらず、ベルベリンに注目した上でベルベリンの濃度を調整することやベルベリンが皮膚バリア機能改善にどの程度貢献するのかについても記載されていない。
　また、本件発明３において、皮膚バリア機能向上作用を有するエキス組成物中のベルベリンの濃度を特定することにより、本件明細書図２のとおり、ＴＥＲの改善がみられ、TJの形成促進作用に予測しえない有利な効果が奏されたといえる。
　なお、引用文献３、６は、上記一致点のとおり、オウバクエキス及びオウレンエキスがベルベリンを主成分として含むものであることを示すに過ぎない。
　ｂ　以上のとおりであるから、本件発明３は、引用文献４、５、３、６に記載された発明に基づいて、当業者が容易に想到し得たものではない。
（イ）本件発明４〜６、９〜１３について
　本件発明３を引用する本件発明４〜６、１３又は、本件発明３の「皮膚バリア機能改善剤」を「皮膚タイトジャンクションバリア機能改善剤」とした本件発明９〜１２も、上記（ア）と同様の理由により、引用文献４、５、３、６、８に記載された発明に基づいて、当業者が容易に想到し得たものではない。
　なお、引用文献８は、皮膚外用剤の成分に生薬エキスを配合することを示す文献に過ぎないから、上記判断を左右しない。
　エ　引用発明６との対比、検討
　本件発明１３は、スキンケア製品中のベルベリン又は薬学的に許容可能なその塩の濃度や用途等を特定するものであるから、引用文献６に記載された発明ではない。
　２　取消理由３（特許法３６条６項２号）について
（１）取消理由３の内容は以下のとおりである。
　本件発明１３は、請求項１〜６いずれか１項に記載の皮膚バリア機能改善剤、又は、請求項７〜１２のいずれか１項に記載の皮膚タイトジャンクションバリア機能改善剤を含む、スキンケア製品に係る発明である。
　しかしながら、請求項６及び１２は、皮膚バリア機能改善剤又は皮膚タイトジャンクションバリア機能改善剤自体が、トコフェロール等を更に含有するものであるため、皮膚バリア機能改善剤又は皮膚タイトジャンクションバリア機能改善剤と、スキンケア製品の関係が不明である。
　したがって、請求項１３に係る発明は、明確でない。
（２）上記の点について検討すると、本件訂正により、本件発明１３は、「請求項３〜６のいずれか１項に記載の皮膚バリア機能改善剤、又は、請求項９〜１２のいずれか１項に記載の皮膚タイトジャンクションバリア機能改善剤
のみからなる
　したがって、本件発明１３は明確である。
　３　取消理由４（特許法３６条６項１号）について
（１）取消理由４の内容は以下のとおりである。
本件特許は、皮膚バリア機能改善効果の高い製品の開発を解決しようとする課題とするものである（【０００５】）。
　しかしながら、請求項１３は、スキンケア製品中の皮膚バリア機能改善剤又は皮膚タイトジャンクションバリア機能改善剤の含有量が記載されるものでも、皮膚バリア機能改善効果を有する有効成分の濃度が規定されるものでもないため、請求項１３は、皮膚バリア機能改善効果を奏さない製品をも包含するものである。
　したがって、請求項１３に係る発明は、発明の詳細な説明において発明の課題が解決できることを当業者が認識できるように記載された範囲を超えるものであるから、請求項１３に係る発明は、発明の詳細な説明に記載したものでない。
（２）上記の点について検討すると、本件訂正により、本件発明１３は、「請求項３〜６のいずれか１項に記載の皮膚バリア機能改善剤、又は、請求項９〜１２のいずれか１項に記載の皮膚タイトジャンクションバリア機能改善剤
のみからなる
　したがって、本件発明１３は、発明の詳細な説明において発明の課題が解決できることを当業者が認識できるように記載された範囲内のものであり、発明の詳細な説明に記載したものである。
第６　特許異議申立書に記載のその他の取消理由について
　１　申立人ＳＡＳ
（１）その他の取消理由の概略
　申立人ＳＡＳのその他の取消理由の概略、及び、当審の検討内容は、以下のとおりである。
　ア　本件特許の請求項１〜３、７〜９、１３に係る発明は、その出願前に日本国内又は外国において、頒布された下記の甲１に記載された発明又は電気通信回線を通じて公衆に利用可能となった発明であって、特許法２９条１項３号に該当し、特許を受けることができないから、その発明に係る特許は取り消すべきものである。
　イ　本件特許の請求項１〜１３に係る発明は、その出願前に日本国内又は外国において、頒布された下記の甲１〜８に記載された発明又は電気通信回線を通じて公衆に利用可能となった発明に基いて、その出願前にその発明の属する技術の分野における通常の知識を有する者が容易に発明をすることができたものであって、特許法２９条２項の規定により特許を受けることができないから、その発明に係る特許は取り消すべきものである。
　ウ　本件特許は、特許請求の範囲の請求項１〜１３の記載が不備であり、特許法３６条６項１号に規定する要件を満たしていない特許出願に対してされたものであるから、取り消されるべきものである。
　エ　本件特許は、発明の詳細な説明の記載が不備であり、特許法３６条４項１号に規定する要件を満たしていない特許出願に対してされたものであるから、取り消されるべきものである。
＜引用文献＞
　以下、申立人ＳＡＳの提出した「甲〇号証」を「甲〇」と略す。
甲１：Jpn J Opphthalmol 2007;51:64-67　
甲２：Ophthalmic Res 2006;38:149-157
甲３：Fitoterapia 80(2009) 241-248
甲４：Phytomedicine 15 (2008) 340-347
甲５：Am J Physiol Lung Cell Mol Physiol 296:L751-L762, 2009
甲６：特公昭６２−５８９０号公報
甲７：コスメトロジー研究報告Vol.21, 2013
甲８：特開２００７−１６１６１２号公報
（２）上記（１）ア、イについての検討
　ア　甲１の記載
　甲１には、以下のとおり記載されている。（訳文は、合議体又は申立人ＳＡＳによる。）
「要約
目的：ヒト網膜色素上皮細胞（ＡＲＰＥ−１９）のバリア機能の崩壊に対する、薬用ハーブの数種から抽出されるアルカロイドである、ベルベリンの効果の検証
・・・
結論：ベルベリンは用量依存的に、ＩＬ−１βによる刺激後ＡＲＰＥ−１９細胞のバリア機能の崩壊を阻害した。」（６４頁冒頭）
「結果
ＩＬ−１βによる刺激後のＴＥＲに対するベルベリンの効果
　細胞生存率は９７％を超えた；ＩＬ−１β（５ｎｇ／ｍｌ）、０．１％　ＤＭＳＯ、およびベルベリン（５０μＭ）と２４時間インキュベートしたＡＲＰＥ−１９細胞のほとんどが生存していた。ＴＥＲ測定後、失われた培養細胞はなかった。
　ＤＭＳＯ（０．０５％）およびベルベリン（０．２〜２５μＭ）は、ＴＥＲに対して効果がなかった。０．０５％　ＤＭＳＯと２４時間インキュベートした細胞のＴＥＲは６６．６ｏｈｍ・ｃｍ２であった。ＩＬ−１βによる刺激後の細胞のＴＥＲ（２３ｏｈｍ・ｃｍ２）は、対照培地中の細胞のＴＥＲ（６６．６ｏｈｍ・ｃｍ２）よりも優位に低かった（Ｐ＜０．０５、Scheffeの検定）（図１ａ）。ベルベリン（１〜２５μＭ）は、ＩＬ−１βによる刺激後２４時間目のＡＲＰＥ−１９細胞におけるＴＥＲの減少を容量依存的に維持した（図１ｂ）。」（６５頁右欄）
　上記記載から、甲１には、「網膜色素上皮細胞においてＩＬ−１β刺激によるタイトジャンクションバリア破壊作用を抑制する効果を発揮する、ベルベリンを１〜２５μＭ含む組成物」（甲１発明）が開示されている。
　イ　本件発明３について
　本件発明３と甲１発明を対比すると、一致点と相違点４は以下のとおりである。
＜一致点＞
「ベルベリン又は薬学的に許容可能なその塩を１．６〜１６μｍｏｌ／Ｌの濃度で含む、バリア機能改善剤」である点で一致する。
＜相違点４＞
　本件発明３は、バリア機能の対象が皮膚であるのに対して、甲１発明は、網膜色素上皮細胞である点で相違する。
　上記相違点４について検討すると、皮膚と網膜色素上皮細胞とは生体組織として明らかに異なっており、実質的な相違点であるから、本件発明３は、甲１に記載された発明ではない。
　また、甲２〜８の記載をみても、皮膚と網膜色素上皮細胞とが組織として等価であることや置換し得るような記載や示唆もなく、そのような技術常識も存在しない。
　したがって、本件発明３は、甲１〜８に記載された発明に基づいて、当業者が容易に想到し得るものではない。
　ウ　本件発明４〜６、９〜１３についても、同様に甲１〜８に記載された発明に基づいて、当業者が容易に想到し得るものではない。
　エ　以上のとおり、申立人ＳＡＳの取消理由を採用することができない。
（３）上記（１）ウ、エについての検討
　ア　上記（１）ウ、エの拒絶理由の内容は、おおむね以下のとおりである。
　甲７に教示されているように、皮膚バリアは角質層とタイトジャンクションからなっているので、タイトジャンクションバリア機能のみが改善されても、皮膚バリア機能改善作用が改善されているとまではいうことができない。本件明細書の発明の詳細な説明において、実施例で確認されているのは、タイトジャンクションバリア機能のみであり、皮膚バリア機能が改善されていない。したがって、請求項１〜１３に係る発明は、発明の詳細な説明に記載された発明ではなく、発明の詳細な説明は、当該発明の実施ができる程度に明確かつ十分に記載されていない。
　本件明細書の発明の詳細な説明には、トコフェロールその他の成分を配合した「皮膚バリア機能改善剤」、「皮膚タイトジャンクションバリア機能改善剤」、「スキンケア製品」の実施例が含まれていないため、請求項６、１２、１３に係る発明は、発明の詳細な説明に記載された発明ではなく、発明の詳細な説明は、当該発明の実施ができる程度に明確かつ十分に記載されていない。
　イ　上記アについて検討する。
　本件各発明の課題は、「皮膚バリア機能改善効果の高い製品を提供すること」である。（【０００５】）
　本件明細書には、本件各発明を実施するための形態として以下の通り記載されている。　
【０００９】
〔有効成分〕
　
本発明の皮膚バリア機能改善剤は、ベルベリン又は薬学的に許容可能なその塩を有効成分として含有する
【００１０】
　ベルベリンは、以下の化学構造式で表される化合物である。
【化１】
（化学構造式　略） 
【００１１】
　薬学的に許容可能なベルベリンの塩（以下、「ベルベリン塩」又は「その塩」ともいう ）としては、ベルベリン塩化物やベルベリン硫酸塩等が挙げられる。ベルベリン塩には、その水和物（例えば、ベルベリン塩化物水和物）が含まれる。
　ベルベリン及びその塩は公知物質であり、市場で容易に入手可能であるか、又は、調製可能である。
【００１２】
　
ベルベリン又はその塩の濃度は、皮膚バリア機能改善剤の総容量に対して
好ましくは１．６〜１６μｍ ｏｌ／Ｌである。この濃度範囲であると、ＴＪのバリア機能の高い改善効果、ひいては皮膚バリア機能の高い改善効果が得られる。
【００１３】
　
本発明では、有効成分として、ベルベリン又はその塩を含む生薬エキス（以下、「生薬エキス」ともいう）を使用してもよい。
　
生薬エキスとしては、
好ましくはオウバクエキス、オウレンエキス及び南天葉エキスであり
　生薬エキスは公知物質であり、市場で容易に入手可能であるか、又は調製可能である。生薬エキスの製造には当該技術分野で周知の方法を使用できるが、例えば抽出溶媒として 水やアルコール等を用いた抽出方法が使用できる。例えば、オウバクエキスは、ミカン科 植物であるキハダ（Phellodendron amurense Ruprecht又はPhellodendron chinense Schneider）の周皮を除いた樹皮を、水や１，３−ブチレングリコール等で抽出して調製できる。
【００１４】
〔皮膚バリア機能の改善〕
　
皮膚バリア機能とは、皮膚が有するバリア機能（外部からの刺激によるダメージや体内 からの水分の喪失を防ぐ等）をいい、皮膚（表皮）の構成要素である角層とＴＪとが有するバリア機能によりもたらされる。
　ＴＪ（タイトジャンクション）は、角層直下の顆粒層の２層目の細胞同士を接着するタンパク質であり、その細胞接着構造によってバリア機能が発揮される。
　本発明では、紫外線等により低下したＴＪのバリア機能をベルベリン又はその塩が改善することにより、皮膚バリア機能が改善される。
　皮膚バリア機能の改善により、肌の乾燥や肌荒れ等が抑制及び／又は改善され、また皮膚老化の進行が抑制される。
【００１５】
〔任意成分〕
　
皮膚バリア機能改善剤には、ベルベリン又はその塩に加え、本発明の効果を損なわない 範囲でスキンケア製品（皮膚用化粧品）に適用可能な１種以上の成分を任意に配合できる。任意成分としては、
〔
基剤成分
水（例えば、精製水）、低級アルコール（例えば、エタノール）、多価アルコール（例え ば、プロピレングリコール）、油脂、界面活性剤、紫外線吸収剤、紫外線散乱剤、増粘剤 、色素、顔料、防腐剤、香料等
〔その他〕
乳化剤、香料、防腐剤等
〔
保湿成分
トコフェロール
【００１６】
〔製造方法〕
　皮膚バリア機能改善剤は、スキンケア製品（皮膚用化粧料）の一般的な製法にしたがい製造できる。例えば、有効成分を基剤成分へ添加し、混合することで製造できる。
【００１７】
〔剤型〕
　
皮膚バリア機能改善剤はスキンケア製品として製剤化できる
【００１８】
〔皮膚タイトジャンクションバリア機能改善剤〕
　ベルベリン又はその塩は、タイトジャンクションのバリア機能を改善することで皮膚バリア機能改善効果を発揮する。したがって、本発明の皮膚バリア機能改善剤は、皮膚タイトジャンクションバリア機能改善剤としても把握できる。
　皮膚タイトジャンクションバリア機能改善剤の有効成分、任意成分、製造方法や剤型は、皮膚バリア機能改善剤について述べた説明が適用される。
【実施例】
【００１９】
　次に、実施例により本発明の効果を具体的に説明するが、本発明は実施例に限定されるものではない。
・・・
【００２１】
〔ベルベリンによるＴＪのバリア機能改善効果〕
　紫外線（ＵＶＢ）照射によりＴＪのバリア機能が低下することが知られている（Takuo Yuki, J Invest Dermatol, 2011, 131, 3, p.744-52）。そこで、ＵＶＢ照射条件及び添加ベルベリン濃度を変えた１〜７群（表１）についてＴＪのバリア機能を測定した。ＴＪのバリア機能は、ＴＥＲ（Transepidermal Electrical Resistance）を指標にして評価した。ＴＥＲは、細胞層のインピーダンスから算出される電気抵抗値であり、ＴＪの形成に伴い高い抵抗値を示すことから、バリア強度の指標として用いられている。
【００２２】
【００２３】
　気液界面培養開始から１４日目のヒト三次元培養皮膚モデルへＵＶＢを照射した（波長：３０２ｎｍ。積算照射量：６４０ｍＪ／ｃｍ2）。照射完了後、ベルベリンを添加した。添加から５０時間後、ＴＥＲをＥＶＯＭ2を用いて測定した。結果を図２に示す。
　ＵＶＢ照射によりＴＥＲ（ＴＪのバリア機能）が低下した（１群対２群）。本発明の範囲外のベルベリン濃度を用いた３群及び７群では、２群に対しＴＥＲの有意な改善はみられなかった。一方、本発明の範囲内のベルベリン濃度を用いた４〜６群では２群に対しＴＥＲの有意な改善がみられた。したがって、
本発明の範囲内のベルベリンを用いることでＴＪのバリア機能が大きく改善することが確認された。
【図２】
　そうすると、本件明細書の発明の詳細な説明の、特に、下線部の記載から、以下のことがいえる。
　本件各発明の皮膚バリア機能改善剤は、ベルベリン又は薬学的に許容可能なその塩を有効成分として含有するものであること、
　ベルベリン又はその塩の濃度は、皮膚バリア機能改善剤の総容量に対して、特に好ましくは１．６〜１６μｍｏｌ／Ｌの濃度範囲であると、ＴＪのバリア機能の高い改善効果、ひいては皮膚バリア機能の高い改善効果が得られること、
　本件各発明では、有効成分として、ベルベリン又はその塩を含む生薬エキスを使用してもよく、生薬エキスとしては、好ましくはオウバクエキス、オウレンエキス及び南天葉エキスであること、
　皮膚バリア機能とは、皮膚が有するバリア機能（外部からの刺激によるダメージや体内からの水分の喪失を防ぐ等）をいい、皮膚（表皮）の構成要素である角層とＴＪとが有するバリア機能によりもたらされ、ＴＪ（タイトジャンクション）は、角層直下の顆粒層の２層目の細胞同士を接着するタンパク質であり、その細胞接着構造によってバリア機能が発揮されること、
　皮膚バリア機能改善剤には、ベルベリン又はその塩に加え、本発明の効果を損なわない範囲でスキンケア製品（皮膚用化粧品）に適用可能な１種以上の成分を任意に配合でき、任意成分としては、基剤成分、保湿成分（トコフェロール等）であること、
　実施例において、本発明の範囲内のベルベリンを用いることでＴＪのバリア機能が大きく改善することが確認されたこと、
　皮膚バリア機能改善剤はスキンケア製品として製剤化できること。
　したがって、本件発明３の皮膚バリア機能改善剤は、ベルベリンの濃度が特定されているから、発明の詳細な説明の記載から、ＴＪのバリア機能の高い改善効果、ひいては皮膚バリア機能の高い改善効果が得られること、皮膚バリア機能は、皮膚（表皮）の構成要素である角層とＴＪとが有するバリア機能によりもたらされ、ＴＪは、角層直下の顆粒層の２層目の細胞同士を接着するタンパク質であり、その細胞接着構造によってバリア機能が発揮されること、実際に実施例において、ＴＪのバリア機能が大きく改善することが明らかであるから、本件発明３は、当業者が発明の課題を解決すると認識できる範囲内のものであるといえるので、発明の詳細な説明に記載された発明である。
　また、同様に、発明の詳細な説明の記載は、当業者が本件発明３を実施できる程度に明確かつ十分に記載されているといえる。
　本件発明４〜６は、本件発明３において、「ベルベリン又は薬学的に許容可能なその塩を生薬エキスとして含む」旨規定するものであるが、上記のとおり、発明の詳細な説明には、皮膚バリア機能改善剤は、ベルベリン又は薬学的に許容可能なその塩を有効成分として含有するもので、有効成分として、ベルベリン又はその塩を含む生薬エキスを使用してもよいことが記載されているから、本件発明３と同様に判断される。
　本件発明９〜１２は、本件発明３の「皮膚バリア機能改善剤」と「皮膚タイトジャンクションバリア機能改善剤」とするものであるから、本件発明３〜６と同様に判断される。
　本件発明１３は、本件発明３〜６の「皮膚バリア機能改善剤」、又は、本件発明９〜１２「皮膚タイトジャンクションバリア機能改善剤」のみからなる「スキンケア製品」とするものであるが、上記のとおり、発明の詳細な説明には、皮膚バリア機能改善剤はスキンケア製品として製剤化できることが記載されているから、本件発明３〜６、９〜１２と同様に判断される。
　ウ　以上のとおり、申立人ＳＡＳの取消理由を採用することができない。
　２　申立人仲谷
（１）その他の取消理由の概略
　ア　本件特許は、発明の詳細な説明の記載が不備であり、特許法３６条４項１号に規定する要件を満たしていない特許出願に対してされたものであるから、取り消されるべきものである。
　イ　本件特許は、特許請求の範囲の記載が不備であり、特許法３６条６項１号に規定する要件を満たしていない特許出願に対してされたものであるから、取り消されるべきものである。
　ウ　本件特許は、特許請求の範囲の記載が不備であり、特許法３６条６項２号に規定する要件を満たしていない特許出願に対してされたものであるから、取り消されるべきものである。
（２）上記（１）ア、イについての検討
　ア　上記（１）ア、イの拒絶理由の内容は、おおむね以下のとおりである。
　請求項１〜６における「皮膚バリア機能」は、皮膚タイトジャンクションバリア機能のみではなく、皮膚角層バリア機能も広く含むところ、皮膚角層バリア機能改善効果については何らも示されておらず、皮膚タイトジャンクションバリア機能改善効果を奏する物質であれば皮膚角層バリア機能改善効果も奏するという技術常識も存在しない。したがって、請求項１〜６に係る発明について、発明の詳細な説明の記載は当業者が発明を実施することができる程度に明確かつ十分に記載されておらず、請求項１〜６に係る発明は、発明の詳細な説明に記載されたものではない。
　請求項１〜１３において、対象とする皮膚バリア機能を低下させる原因を特定していないから、請求項１〜１３に係る発明について、発明の詳細な説明の記載は当業者が発明を実施することができる程度に明確かつ十分に記載されておらず、請求項１〜１３に係る発明は、発明の詳細な説明に記載されたものではない。
　請求項４、５、１０、１１、１３において、「ベルベリン又は薬学的に許容可能な塩を生薬エキスとして含む」との記載があり、生薬エキスの成分の中には、ベルベリンによるバリア機能改善効果を抑制する方向に作用する成分が含まれている可能性もあるから、請求項４、５、１０、１１、１３に係る発明について、発明の詳細な説明の記載は当業者が発明を実施することができる程度に明確かつ十分に記載されておらず、請求項４、５、１０、１１、１３に係る発明は、発明の詳細な説明に記載されたものではない。
　イ　しかし、上記１（３）のとおり、本件明細書の発明の詳細な説明には、皮膚バリア機能は、皮膚（表皮）の構成要素である角層とＴＪとが有するバリア機能によりもたらされ、ＴＪは、角層直下の顆粒層の２層目の細胞同士を接着するタンパク質であり、その細胞接着構造によってバリア機能が発揮されること、皮膚バリア機能改善剤は、ベルベリン又は薬学的に許容可能なその塩を有効成分として含有するもので、有効成分として、ベルベリン又はその塩を含む生薬エキスを使用してもよいことが記載されており、また、皮膚バリア機能を低下させる原因が異なれば、皮膚バリア機能改善剤が機能しないという技術常識も存在しない。
　したがって、上記１（３）と同様に判断され、本件発明３〜６、９〜１３は、当業者が発明の課題を解決すると認識できる範囲内のものであるといえるので、発明の詳細な説明に記載された発明である。
　また、同様に、発明の詳細な説明の記載は、当業者が、本件発明３〜６、９〜１３を実施ができる程度に明確かつ十分に記載されているといえる。
（３）上記（１）ウについての検討
　ア　上記（１）ウの拒絶理由の内容は、おおむね以下のとおりである。
　請求項１〜１３においては、どのような原因によって皮膚バリア機能が低下した人を対象としているのか、バリア機能の何が低下しているのかが特定されていないため、何が悪いところで、何を改善するのかが不明であるから、明確でない。
　イ　上記（２）イのとおり、皮膚バリア機能を低下させる原因が異なれば、皮膚バリア機能改善剤が機能しないという技術常識も存在しないから、本件発明３〜６、９〜１２が、原因を特定しないとしても、本件発明３〜６、９〜１２自体は明確であり、不明確な点はない。　
（４）以上のとおり、申立人仲谷の取消理由を採用することができない。
第７　むすび
　以上のとおりであるから、取消理由によっては、本件特許発明３〜６、９〜１３に係る特許を取り消すことはできない。
　そして、他に本件発明３〜６、９〜１３に係る特許を取り消すべき理由を発見しない。
　また、本件発明１、２、７、８に係る特許は、訂正により削除されたため、本件発明１、２、７、８に対して、申立人がした特許異議の申し立てについては、対象となる請求項が存在しない。
　よって、結論のとおり審決する。
【異議決定日】
令和２年１１月６日（２０２０．１１．６）
【訂正の要旨】
審決（決定）の【理由】欄参照。
（５７）【特許請求の範囲】
　【請求項１】
　
（削除）
　【請求項２】
　
（削除）
　【請求項３】
　ベルベリン又は薬学的に許容可能なその塩
を
の濃度で含む、
　【請求項４】
　ベルベリン又は薬学的に許容可能なその塩を生薬エキスとして含む、請求項
３
　【請求項５】
　ベルベリン含有生薬エキスが、オウバクエキス、オウレンエキス又は南天葉エキスである、請求項４に記載の皮膚バリア機能改善剤。
　【請求項６】
　トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項
３
　【請求項７】
　
（削除）
　【請求項８】
　
（削除）
　【請求項９】
　ベルベリン又は薬学的に許容可能なその塩
を
の濃度で含む、
　【請求項１０】
　ベルベリン又は薬学的に許容可能なその塩を生薬エキスとして含む、請求項
９
　【請求項１１】
　ベルベリン含有生薬エキスが、オウバクエキス、オウレンエキス又は南天葉エキスである、請求項１０に記載の皮膚タイトジャンクションバリア機能改善剤。
　【請求項１２】
　トコフェロール、ヒアルロン酸Ｎａ、ミツバアケビ茎エキス、加水分解エラスチン、加水分解コラーゲン、アカヤジオウ根エキス、アセチルヒアルロン酸Ｎａ、アルニカ花エキス、アロエベラ葉エキス、オウゴンエキス、オーキッドエキス、オタネニンジン根エキス、カッコンエキス、カミツレ花エキス、カンゾウ根エキス、キュウリ果実エキス、クズ根エキス、クロレラエキス、セイヨウオトギリソウ花／葉／茎エキス、セイヨウキズタ葉／茎エキス、セイヨウシロヤナギ樹皮エキス、セイヨウニワトコ花エキス、ゼニアオイエキス、センブリエキス、ダイズエキス、トウキンセンカ花エキス、トリスヘキシルデカン酸ピリドキシン、パリエタリアエキス、パルミチン酸レチノール、フユボダイジュ花エキス、マクロプチリウムアトロプルプレウム花／葉／茎エキス、メマツヨイグサ種子エキス、ヤグルマギク花エキス、ローマカミツレ花エキス、ローヤルゼリーエキス、及び加水分解ハトムギ種子からなる群より選択される１つ以上を更に含有する、請求項
９
　【請求項１３】
　請求項
３
９
のみからなる